(57)【要約】【課題】  感光体カートリッジ，現像カートリッジ，及びトナーカートリッジを寿命に応じて個々に交換可能な画像形成装置において、その装置の小型化及び構成の簡略化を達成すること。【解決手段】  感光体カートリッジ２０，現像カートリッジ４０，トナーカートリッジ６０は共通の着脱経路を通って共通の着脱口２ａから着脱することができるので、装置が大型化せず、着脱口２ａも比較的小さくできるため構成も簡略化する。また、取っ手６２を上方へ回動させることによりトナーカートリッジ６０のみを、取っ手２５を押し下げることにより現像カートリッジ４０及びトナーカートリッジ６０のみを着脱することができる。【選択図】  図４
2008032755.tif 000002
【特許請求の範囲】
【請求項１】
少なくとも、
感光体を収容した感光体カートリッジと、
トナーを収容したトナーカートリッジと、
該トナーカートリッジに収容されたトナーで前記感光体に形成された静電潜像を現像する現像器を収容した現像カートリッジと、
を着脱可能に備えた画像形成装置であって、
前記各カートリッジは、共通の着脱経路を通って共通の着脱口から着脱可能で、少なくとも画像形成装置本体から取り外したときには、前記各カートリッジが個々に分離可能であることを特徴とする画像形成装置。
【請求項２】
前記感光体カートリッジ，前記トナーカートリッジ，及び前記現像カートリッジが、一体化したままで前記画像形成装置本体に着脱可能なことを特徴とする請求項１記載の画像形成装置。
【請求項３】
少なくともいずれかの前記カートリッジを前記画像形成装置本体に残したまま、他のいずれかの前記カートリッジを前記画像形成装置本体に着脱可能なことを特徴とする請求項１または２記載の画像形成装置。
【請求項４】
少なくともいずれかの前記カートリッジが操作部を備え、その操作部を操作することによって前記画像形成装置本体に残すカートリッジを選択可能なことを特徴とする請求項３記載の画像形成装置。
【請求項５】
前記操作部が、その操作部を備えたカートリッジを着脱するための取っ手であり、その取っ手の位置を移動させることによって前記画像形成装置本体に残すカートリッジを選択可能なことを特徴とする請求項４記載の画像形成装置。
【請求項６】
前記取っ手の位置には、前記カートリッジ同士を連結する位置と前記カートリッジ同士を分断する位置とがあり、前記取っ手が前記分断する位置にある場合は、その取っ手が前記画像形成装置本体の前記着脱口を塞ぐ蓋部またはその蓋部と連動する部材の軌道と干渉して、前記蓋部の閉塞が不可能になることを特徴とする請求項５記載の画像形成装置。
【請求項７】
前記操作部は、その操作部を備えた前記カートリッジを画像形成装置本体に装着したままで操作可能なことを特徴とする請求項４〜６のいずれかに記載の画像形成装置。
【請求項８】
前記画像形成装置本体への装着時には、前記着脱口から奥に向かって前記トナーカートリッジ，前記現像カートリッジ，前記感光体カートリッジの順に配設されることを特徴とする請求項３〜７のいずれかに記載の画像形成装置。
【請求項９】
前記画像形成装置本体への装着時には、前記着脱口から奥に向かって前記各カートリッジが寿命の短い順に配設されることを特徴とする請求項３〜７のいずれかに記載の画像形成装置。
【請求項１０】
前記各カートリッジの着脱経路が直線的に構成されたことを特徴とする請求項１〜９のいずれかに記載の画像形成装置。
【請求項１１】
前記着脱口が前記画像形成装置本体の前面に配設されたことを特徴とする請求項１〜１０のいずれかに記載の画像形成装置。
【請求項１２】
前記画像形成装置本体には、前記感光体に形成された静電潜像を現像しているトナーを付着させるための用紙を収容する給紙カセットが着脱可能に設けられ、
前記着脱口は、前記給紙カセットが着脱される側に配設されたことを特徴とする請求項１〜１１のいずれかに記載の画像形成装置。
【請求項１３】
着脱方向の下流側に配設されるいずれかの前記カートリッジに、着脱方向上流側に配設されるいずれかの前記カートリッジを案内するためのガイドが形成されたことを特徴とする請求項１〜１２のいずれかに記載の画像形成装置。
【請求項１４】
少なくともいずれかの前記カートリッジがドラムまたはローラを備え、前記各カートリッジが、そのドラムまたはローラの回転軸に直交する方向に着脱可能なことを特徴とする請求項１〜１３のいずれかに記載の画像形成装置。
【請求項１５】
内部にトナーを収容し、感光体に形成された静電潜像を前記トナーによって現像する現像器を収容した現像カートリッジに着脱可能に構成されたトナーカートリッジであって、
前記現像カートリッジとの連結／分断を切り換える操作部が、前記現像カートリッジを画像形成装置本体に装着したままで操作可能に設けられたことを特徴とするトナーカートリッジ。
【請求項１６】
前記操作部が、前記トナーカートリッジを着脱するための取っ手であり、その取っ手の位置を移動させることによって前記現像カートリッジとの連結／分断を切り換えることができることを特徴とする請求項１５記載のトナーカートリッジ。
【請求項１７】
前記取っ手の位置には、前記現像カートリッジと連結する位置と前記現像カートリッジと分断する位置とがあり、前記取っ手が前記分断する位置にある場合は、その取っ手が前記画像形成装置本体のトナーカートリッジ着脱口を塞ぐ蓋部またはその蓋部と連動する部材の軌道と干渉して、前記蓋部の閉塞が不可能になることを特徴とする請求項１６記載のトナーカートリッジ。
【請求項１８】
少なくとも、
感光体を収容した感光体カートリッジと、
トナーを収容したトナーカートリッジと、
該トナーカートリッジに収容されたトナーで前記感光体に形成された静電潜像を現像する現像器を収容した現像カートリッジと、
を着脱可能に備えた画像形成装置に用いられる前記トナーカートリッジであって、
内部に収容された前記トナーを撹拌するためのアジテータと、
前記アジテータの回転軸またはその回転軸と平行に伸びる軸からなる軸部材とを備え、
前記軸部材が、前記現像カートリッジに形成されたガイドに案内されることを特徴とするトナーカートリッジ。
【請求項１９】
少なくとも、
感光体を収容した感光体カートリッジと、
トナーを収容したトナーカートリッジと、
該トナーカートリッジに収容されたトナーで前記感光体に形成された静電潜像を現像する現像器を収容した現像カートリッジと、
を着脱可能に備えた画像形成装置に用いられる前記現像カートリッジであって、
前記トナーカートリッジを案内するためのガイドと、
前記現像ローラの回転軸またはその回転軸と平行に伸びる軸からなる軸部材とを備え、
前記軸部材が、前記感光体カートリッジに形成されたガイドに案内されることを特徴とする現像カートリッジ。
【請求項２０】
少なくとも、
感光体を収容した感光体カートリッジと、
トナーを収容したトナーカートリッジと、
該トナーカートリッジに収容されたトナーで前記感光体に形成された静電潜像を現像する現像器を収容した現像カートリッジと、
を着脱可能に備えた画像形成装置に用いられる前記感光体カートリッジであって、
前記現像カートリッジを案内するためのガイドを備え、
前記ガイドが、前記現像カートリッジへの前記トナーカートリッジの着脱方向と平行に形成されていることを特徴とする感光体カートリッジ。
【発明の詳細な説明】
【技術分野】
【０００１】
本発明は、感光体に形成された静電潜像をトナーで現像して用紙に付着させることで画像を形成するいわゆる電子写真方式の画像形成装置、並びに、その画像形成装置で使用可能なトナーカートリッジ、現像カートリッジ、及び感光体カートリッジに関する。
【背景技術】
【０００２】
従来より、感光体を収容した感光体カートリッジと、トナーを収容したトナーカートリッジと、該トナーカートリッジに収容されたトナーで前記感光体に形成された静電潜像を現像する現像器を収容した現像カートリッジと、を着脱可能に備えた画像形成装置が考えられている。この種の画像形成装置では、感光体に静電潜像が形成されると、その静電潜像を、トナーカートリッジに収容されたトナーを用いて現像器によって現像し、そのトナーを用紙に付着させることでその用紙に画像を形成することができる。
【０００３】
ここで、例えばある種の画像形成装置では、感光体の寿命は５万枚であるのに対して現像器は２万枚、トナーカートリッジは３千枚と、それぞれ寿命が異なる。このため、感光体カートリッジ，現像カートリッジ，及びトナーカートリッジを一体に交換していると、コストパフォーマンスが低下する。そこで、前記各カートリッジを個々に分離可能にして、寿命に達したカートリッジのみを交換することが提案されている（例えば、特許文献１参照）。
【特許文献１】特開平４−３２２２６０号公報
【発明の開示】
【発明が解決しようとする課題】
【０００４】
ところが、前記公報に開示された装置では、各カートリッジの着脱経路、すなわち着脱時に各カートリッジが通る空間的な軌道はバラバラであり、着脱のためにはカバーを大きく開口させる必要があるなど、構成が複雑化していた。このように、従来は、前記各カートリッジを個々に交換可能とすると共に、装置の小型化及び構成の簡略化を達成することは不可能であった。そこで、本発明は、感光体カートリッジ，現像カートリッジ，及びトナーカートリッジを寿命に応じて個々に交換可能な画像形成装置において、その装置の小型化及び構成の簡略化を達成することを目的としてなされた。
【０００５】
また、前記公報に開示された装置では、感光体カートリッジ，現像カートリッジ，及びトナーカートリッジを一体に取り出した後、交換すべきカートリッジを分離して新規のカートリッジと交換している。このため、例えばトナーカートリッジのみを交換する場合でも、一旦前記各カートリッジを装置外に取り出さなければならず、その交換などの作業性が充分でなかった。また、各カートリッジの着脱時にそのカートリッジを案内するためのガイドにも改良の余地があった。そこで、本発明は、前述のようにカートリッジを個々に分離して交換することが容易なトナーカートリッジ，現像カートリッジ，または感光体カートリッジの提供を目的としてなされた。
【課題を解決するための手段】
【０００６】
前記目的を達するためになされた本発明の画像形成装置は、少なくとも、感光体を収容した感光体カートリッジと、トナーを収容したトナーカートリッジと、該トナーカートリッジに収容されたトナーで前記感光体に形成された静電潜像を現像する現像器を収容した現像カートリッジと、を着脱可能に備えた画像形成装置であって、前記各カートリッジは、共通の着脱経路を通って共通の着脱口から着脱可能で、少なくとも画像形成装置本体から取り外したときには、前記各カートリッジが個々に分離可能であることを特徴としている。
【０００７】
このように、本発明では、感光体カートリッジ，現像カートリッジ，及びトナーカートリッジを、少なくとも画像形成装置本体から取り外したときには、各カートリッジが個々に分離可能で、交換を要するカートリッジのみを交換することができる。また、各カートリッジは共通の着脱経路（ここでは軌道としての空間を意味する）を通って共通の着脱口から着脱することができるので、装置が大型化せず、着脱口も比較的小さくできるため構成も簡略化する。従って、本発明の画像形成装置では、設置場所の自由度が向上し、製造コストも低減することができる。
【０００８】
なお、本発明の画像形成装置は、各カートリッジを手前（前記着脱口に近い側）にあるものから順に１つずつ着脱可能であってもよいが、前記感光体カートリッジ，前記トナーカートリッジ，及び前記現像カートリッジが、一体化したままで前記画像形成装置本体に着脱可能な場合、更に次のような効果が生じる。この場合、複数のカートリッジの交換が必要な場合に、一体に取り外しができるので、前記交換などの作業性が向上する。
【０００９】
また、少なくともいずれかの前記カートリッジを前記画像形成装置本体に残したまま、他のいずれかの前記カートリッジを前記画像形成装置本体に着脱可能な場合は、更に次のような効果が生じる。この場合、交換しなくてもよいカートリッジを画像形成装置本体に残して他のカートリッジを交換することができ、前記交換などの作業性が向上する。
【００１０】
また、この場合更に、少なくともいずれかの前記カートリッジが操作部を備え、その操作部を操作することによって前記画像形成装置本体に残すカートリッジを選択可能な場合、更に次のような効果が生じる。すなわち、操作部を操作することによって画像形成装置本体に残すカートリッジが選択できるので、前記交換などの作業性が更に一層向上する。
【００１１】
そして、この場合更に、前記操作部が、その操作部を備えたカートリッジを着脱するための取っ手であり、その取っ手の位置を移動させることによって前記画像形成装置本体に残すカートリッジを選択可能な場合、更に次のような効果が生じる。すなわち、取っ手が前記操作部を兼ねるので、操作が一層容易になり、構成も簡略化する。
【００１２】
そして更に、前記取っ手の位置には、前記カートリッジ同士を連結する位置と前記カートリッジ同士を分断する位置とがあり、前記取っ手が前記分断する位置にある場合は、その取っ手が前記画像形成装置本体の前記着脱口を塞ぐ蓋部またはその蓋部と連動する部材の軌道と干渉して、前記蓋部の閉塞が不可能になる場合、更に次のような効果が生じる。
【００１３】
カートリッジ同士を分断したまま画像形成装置を駆動すると誤動作の原因となるが、前記構成を採用した場合、取っ手が前記分断する位置にあると蓋部を閉塞することができない。従って、カートリッジ同士が分断されたまま画像形成装置を駆動するなどの誤った操作を防止することができる。
【００１４】
また、前述のように操作部を備えている場合に、前記操作部は、その操作部を備えた前記カートリッジを画像形成装置本体に装着したままで操作可能なとき、更に次のような効果が生じる。この場合、操作部を備えたカートリッジを画像形成装置本体に装着したままで画像形成装置に残すカートリッジが選択できる。このため、一部のカートリッジのみを交換する場合の作業性が一層向上する。
【００１５】
また、前述のように、少なくともいずれかの前記カートリッジを前記画像形成装置本体に残したまま、他のいずれかの前記カートリッジを前記画像形成装置本体に着脱可能な場合に、前記画像形成装置本体への装着時には、前記着脱口から奥に向かって前記トナーカートリッジ，前記現像カートリッジ，前記感光体カートリッジの順に配設されると、更に次のような効果が生じる。すなわち、この場合、手前から交換頻度の高い順にカートリッジが並んでいるため、前記交換などの作業性が一層向上する。
【００１６】
また、同じく前述のように、少なくともいずれかの前記カートリッジを前記画像形成装置本体に残したまま、他のいずれかの前記カートリッジを前記画像形成装置本体に着脱可能な場合に、前記画像形成装置本体への装着時には、前記着脱口から奥に向かって前記各カートリッジが寿命の短い順に配設されると、更に次のような効果が生じる。すなわち、この場合、手前から交換頻度の高い順にカートリッジが並んでいるため、前記交換などの作業性が一層向上する。
【００１７】
更に、前記いずれかの画像形成装置において、前記各カートリッジの着脱経路が直線的に構成された場合、更に次のような効果が生じる。この場合、着脱経路が直線的なのでカートリッジの交換が一層容易になる。
【００１８】
また、前記いずれかの画像形成装置において、前記着脱口が前記画像形成装置本体の前面（すなわち、画像形成装置の設置時に手前に配設される面）に配設された場合、更に次のような効果が生じる。この場合、前面からカートリッジの交換ができるので、前記交換などの作業性が向上する。
【００１９】
また、前記いずれかの画像形成装置において、前記画像形成装置本体には、前記感光体に形成された静電潜像を現像しているトナーを付着させるための用紙を収容する給紙カセットが着脱可能に設けられ、前記着脱口は、前記給紙カセットが着脱される側に配設された場合、更に次のような効果が生じる。この場合、用紙補充などのための給紙カセット着脱とカートリッジの交換とが同じ側から行えるので、前記交換などの作業性が向上する。
【００２０】
また、前記いずれかの画像形成装置において、着脱方向の下流側に配設されるいずれかの前記カートリッジに、着脱方向上流側に配設されるいずれかの前記カートリッジを案内するためのガイドが形成された場合、更に次のような効果が生じる。この場合、ガイドによって、そのガイドが設けられたカートリッジより上流側のカートリッジが案内される。このため、カートリッジの着脱が一層容易になる。
【００２１】
また更に、前記いずれかの画像形成装置において、少なくともいずれかの前記カートリッジがドラムまたはローラを備え、前記各カートリッジが、そのドラムまたはローラの回転軸に直交する方向に着脱可能な場合、更に次のような効果が生じる。この場合、前記ドラムまたはローラを備えたカートリッジは、その回転軸の両端を被ガイド部として着脱することができる。このため、装置の構成を一層簡略化すると共にカートリッジの着脱を一層容易にすることができる。
【００２２】
また、本発明のトナーカートリッジは、内部にトナーを収容し、感光体に形成された静電潜像を前記トナーによって現像する現像器を収容した現像カートリッジに着脱可能に構成されたトナーカートリッジであって、前記現像カートリッジとの連結／分断を切り換える操作部が、前記現像カートリッジを画像形成装置本体に装着したままで操作可能に設けられたことを特徴としている。
【００２３】
このように構成された本発明のトナーカートリッジでは、操作部を操作することによって現像カートリッジとの連結／分断を切り換えることができ、しかも、その操作部は、現像カートリッジを画像形成装置本体に装着したままで操作することができる。このため、本発明のトナーカートリッジは、操作部を操作して現像カートリッジと分断することにより、そのトナーカートリッジのみを容易に交換することができる。
【００２４】
本発明では、操作部の形態は特に限定されないが、前記操作部が、前記トナーカートリッジを着脱するための取っ手であり、その取っ手の位置を移動させることによって前記現像カートリッジとの連結／分断を切り換えることができる場合、更に次のような効果が生じる。すなわち、取っ手が前記操作部を兼ねるので、操作が一層容易になり、構成も簡略化する。
【００２５】
また、この場合、前記取っ手の位置には、前記現像カートリッジと連結する位置と前記現像カートリッジと分断する位置とがあり、前記取っ手が前記分断する位置にある場合は、その取っ手が前記画像形成装置本体のトナーカートリッジ着脱口を塞ぐ蓋部またはその蓋部と連動する部材の軌道と干渉して、前記蓋部の閉塞が不可能になると、更に次のような効果が生じる。
【００２６】
トナーカートリッジを現像カートリッジと分断したまま画像形成装置を駆動すると、画像のかすれなどといった誤動作の原因となるが、前記構成を採用した場合、取っ手が前記分断する位置にあると蓋部を閉塞することができない。従って、トナーカートリッジが現像カートリッジと分断されたまま画像形成装置を駆動するなどの誤った操作を防止することができる。
【００２７】
また、本発明のトナーカートリッジは、少なくとも、感光体を収容した感光体カートリッジと、トナーを収容したトナーカートリッジと、該トナーカートリッジに収容されたトナーで前記感光体に形成された静電潜像を現像する現像器を収容した現像カートリッジと、を着脱可能に備えた画像形成装置に用いられる前記トナーカートリッジであって、内部に収容された前記トナーを撹拌するためのアジテータと、前記アジテータの回転軸またはその回転軸と平行に伸びる軸からなる軸部材とを備え、前記軸部材が、前記現像カートリッジに形成されたガイドに案内されることを特徴とするものであってもよい。
【００２８】
この場合、アジテータの回転軸またはその回転軸と平行に伸びる軸からなる軸部材を被ガイド部として、現像カートリッジに形成されたガイドに案内されることによってそのトナーカートリッジを着脱することができる。従って、本発明のトナーカートリッジでは、構成を複雑化することなく着脱を容易にすることができる。
【００２９】
また、本発明の現像カートリッジは、少なくとも、感光体を収容した感光体カートリッジと、トナーを収容したトナーカートリッジと、該トナーカートリッジに収容されたトナーで前記感光体に形成された静電潜像を現像する現像器を収容した現像カートリッジと、を着脱可能に備えた画像形成装置に用いられる前記現像カートリッジであって、前記トナーカートリッジを案内するためのガイドと、前記現像ローラの回転軸またはその回転軸と平行に伸びる軸からなる軸部材とを備え、前記軸部材が、前記感光体カートリッジに形成されたガイドに案内されることを特徴としている。
【００３０】
このように構成された本発明の現像カートリッジは、トナーカートリッジを案内するためのガイドが形成されているので、その現像カートリッジに対するトナーカートリッジの着脱が容易になる。また、本発明では、現像ローラの回転軸またはその回転軸と平行に伸びる軸からなる軸部材を被ガイド部として、感光体カートリッジに形成されたガイドに案内されることによってその現像カートリッジを着脱することができる。従って、本発明の現像カートリッジでは、構成を複雑化することなく感光体カートリッジへの着脱を容易にすることもできる。
【００３１】
また、本発明の感光体カートリッジは、少なくとも、感光体を収容した感光体カートリッジと、トナーを収容したトナーカートリッジと、該トナーカートリッジに収容されたトナーで前記感光体に形成された静電潜像を現像する現像器を収容した現像カートリッジと、を着脱可能に備えた画像形成装置に用いられる前記感光体カートリッジであって、前記現像カートリッジを案内するためのガイドを備え、前記ガイドが、前記現像カートリッジへの前記トナーカートリッジの着脱方向と平行に形成されていることを特徴としている。
【００３２】
このように構成された本発明の感光体カートリッジは、現像カートリッジを案内するためのガイドが形成されているので、その感光体カートリッジに対する現像カートリッジの着脱が容易になる。また、本発明ではそのガイドが、現像カートリッジへのトナーカートリッジの着脱方向と平行に形成されている。このため、前記ガイドが現像カートリッジへのトナーカートリッジの着脱の邪魔となることもなく、また、その着脱も本発明への現像カートリッジの着脱も同一方向から行うことができる。従って、本発明では、現像カートリッジへのトナーカートリッジの着脱も感光体カートリッジ（本発明）への現像カートリッジの着脱も共に容易にすることができる。
【発明を実施するための最良の形態】
【００３３】
次に、本発明の実施の形態を図面と共に説明する。図１は、本発明が適用された画像形成装置としてのレーザプリンタ１の外観を表す斜視図である。図１に示すようにレーザプリンタ１の本体を外周から覆うカバー２の下部には、給紙カセット３が装着され、カバー２の前面（すなわち、レーザプリンタ１の設置時に手前に配設される面）には、そのカバー２の蓋部４が設けられている。
【００３４】
蓋部４は、左右両端上方に指掛け部４ａを備え、この指掛け部４ａを引くことによって、図２に示すように下端のヒンジ４ｂを中心に手前に開くことができるよう構成されている。更に、図３に示すように、給紙カセット３は手前に引き出し可能に設けられ、このように引き出すことで給紙カセット３はレーザプリンタ１に着脱可能とされている。
【００３５】
次に、図４は、レーザプリンタ１の内部構成を表す縦断面図である。なお、この図４は、図２のＡ−Ａ線断面図に相当する。図４に示すように給紙カセット３の内部には、バネ６により上方に付勢された支持板５が設けられ、その支持板５の更に上方の前面側には、支持板５の上に積層状に保持された用紙（図示省略）を一枚ずつ分離して画像形成部７方向へ供給する給紙ローラ９が配設されている。また、給紙ローラ９から画像形成部７へ到る用紙の搬送経路には、給紙ローラ９と協働して用紙を搬送する搬送ローラ１１と、搬送ローラ１１により搬送された用紙を給紙ローラ９の外周に沿って約１８０°折り返すガイド１３と、適宜停止することによって用紙の先端を係止し、その用紙の斜行を補正する１対のレジストローラ１４，１５とが順次配設されている。
【００３６】
画像形成部７は、感光体カートリッジ２０内に設けられた感光体としての感光体ドラム２１と、その感光体ドラム２１に対向配置された転写ローラ２２とを備えており、この感光体ドラム２１及び転写ローラ２２の間を通過して後述のようにトナーによる画像が形成された用紙は、定着部３１へ供給される。この定着部３１では、用紙に形成されたトナー画像が加熱ローラ３３と押圧ローラ３５とに挟まれて熱定着され、画像が定着された用紙は１対の搬送ローラ３６，３６によって更に搬送される。
【００３７】
搬送ローラ３６，３６によって搬送された用紙はガイド３７によってカバー２の上方へ導かれ、一対の排紙ローラ３８，３８によって、カバー２の上面に設けられた排紙トレー３９に排出される。また、排紙トレー３９と感光体カートリッジ２０との間には、感光体ドラム２１をレーザ光Ｌによって露光するスキャナユニット９０が配設されている。
【００３８】
次に、画像形成部７及びスキャナユニット９０の構成について、更に詳細に説明する。感光体カートリッジ２０は、表面に感光層を有する感光体ドラム２１を回転可能に備え、更に、転写ローラ２２と、感光体ドラム２１の表面を一様に帯電させるスコロトロン帯電器２３とを備えている。スコロトロン帯電器２３によって帯電された感光体ドラム２１の表面には、スキャナユニット９０から露光開口部２０ａを介して入射するレーザ光Ｌによって静電潜像が形成される。続いて、次に述べる現像カートリッジ４０に設けられた現像器としての現像ローラ４１が感光体ドラム２１の表面へトナーを供給することにより、前記静電潜像が現像される。このようにして感光体ドラム２１に付着されたトナーは、前述の転写ローラ２２との間を通過する用紙に転写され、以上の動作によってその用紙に画像が形成されるのである。
【００３９】
現像ローラ４１は、図４に示すように現像カートリッジ４０に回転可能に支持され、感光体ドラム２１に接触して後述の機構により回転駆動される。現像カートリッジ４０は、トナーカートリッジ６０を着脱可能に支持する支持部４２を備え、支持部４２には、トナーカートリッジ６０からトナーが供給される開口部４２ａが穿設されている（図７参照）。更に、現像カートリッジ４０には、軸方向中央部に設けられた開口部４２ａから供給されたトナーを軸方向両側に搬送する一対のオーガ４３，４３と、そのオーガ４３，４３によって搬送されたトナーを現像ローラ４１に向けて供給する供給ローラ４５と、その供給ローラ４５によって現像ローラ４１の表面に付着されたトナーを摩擦帯電させトナーの薄層を形成する現像ブレード４７とが設けられている。また、トナーカートリッジ６０の内部には、収容されたトナーを撹拌し、現像カートリッジ４０側へ供給するためのアジテータ６１が回転可能に設けられている。
【００４０】
続いて、スキャナユニット９０の構成について説明する。スキャナユニット９０は、図示しないレーザ発光部が発生したレーザ光Ｌを偏向走査するポリゴンミラー９１と、そのポリゴンミラー９１に偏向されたレーザ光Ｌを感光体ドラム２１に向けて折り返すミラー９２，９３とを備えている。また、ポリゴンミラー９１からミラー９２に到るレーザ光Ｌの光路にはｆθレンズ９５が、ミラー９２からミラー９３に到るレーザ光Ｌの光路にはシリンドリカルレンズ９７が、それぞれ固定されている。
【００４１】
以上の構成により、ポリゴンミラー９１及び感光体ドラム２１を回転させながらレーザ光Ｌを適宜のタイミングで出射することにより、感光体ドラム２１の表面に静電潜像を形成することができる。そして、前述のように、その静電潜像を現像ローラ４１を介してトナーで現像して用紙に転写することで、電子写真方式による画像形成が可能となる。
【００４２】
次に、図５に示すように蓋部４を開いて、更に、感光体カートリッジ２０の取っ手２５を手前に引くと、感光体カートリッジ２０を現像カートリッジ４０及びトナーカートリッジ６０と一体に、着脱口２ａからレーザプリンタ１の装置本体外へ取り出すことができる。なお、着脱口２ａとは、蓋部４によって塞がれるカバー２の開口部である。
【００４３】
また、図６に示すように、トナーカートリッジ６０の取っ手６２を上方へ回動させると、後述のようにトナーカートリッジ６０は現像カートリッジ４０と分断され、更にその取っ手６２を手前に引くと、図７に示すようにトナーカートリッジ６０のみを着脱口２ａからレーザプリンタ１の装置本体外へ取り出すことができる。すなわち、着脱口２ａは、トナーカートリッジ着脱口にも相当する。
【００４４】
また更に、図８に示すように、感光体カートリッジ２０の取っ手２５を押し下げると、後述のように現像カートリッジ４０は感光体カートリッジ２０と分断され、更に、トナーカートリッジ６０の取っ手６２を上方へ回動させることなくそのまま手前に引くと、トナーカートリッジ６０と現像カートリッジ４０とを着脱口２ａからレーザプリンタ１の装置本体外へ取り出すことができる。
【００４５】
続いて、このような各カートリッジ２０，４０，６０の連結／分断を切り換える構成について説明する。先ず、現像カートリッジ４０とトナーカートリッジ６０との連結／分断を切り換える構成について説明する。
【００４６】
図９（Ｂ），（Ｃ）は、図９（Ａ）に示すようにトナーカートリッジ６０の取っ手６２が上方へ回動された位置（以下、分断位置という）に配設された状態を表しており、図９（Ｂ）は現像カートリッジ４０の支持部４２をトナーカートリッジ６０側から見た図、図９（Ｃ）はトナーカートリッジ６０を支持部４２側から見た図である。
【００４７】
図９（Ｃ）に示すように、トナーカートリッジ６０は、内部にトナーが収容される長尺円筒状の内筒６３と、その内筒６３の中央に外嵌される外筒６４とを備えている。外筒６４は、支持部４２側に突出した突条６４ａを支持部４２の内壁面に形成された長溝４２ｂに係合させることにより、支持部４２に回動不能に装着される。内筒６３は、前述の取っ手６２を一体成形されて、その取っ手６２の操作に応じて外筒６４の内側で回動可能に構成されている。
【００４８】
また、図９（Ｂ）に示すように、支持部４２の内側には、金属板からなるシャッタ４８が配設されている。このシャッタ４８は、支持部４２の内壁面に形成されたレール４２ｃによって両端を支持されることにより、図９（Ｂ）に示すように支持部４２の開口部４２ａを塞ぐ位置と、開口部４２ａよりも上方にずれて配設される位置（図１０（Ｂ）参照）との間を、支持部４２の内周方向に移動可能に配設されている。
【００４９】
内筒６３の表面には、このシャッタ４８の両端近傍を周方向両側から挟む４つの突起６３ａが形成されている。このため、内筒６３の回動に応じてシャッタ４８は移動し、取っ手６２を分断位置に配設したときは、図９（Ｂ），（Ｃ）に示すように、シャッタ４８は開口部４２ａを塞ぐ位置に配設される。なお、前述の長溝４２ｂは、この位置に配設されたシャッタ４８と重ならないように、更にその下方に形成されている。また、開口部４２ａは横方向に長い長方形状に構成され、その周囲の支持部４２の内壁面には、開口部４２ａを囲む矩形枠状のスポンジ４９が貼着されている。
【００５０】
外筒６４の、突条６４ａを長溝４２ｂに係合させたときに開口部４２ａと対向する部分には、開口部４２ａと同形状の開口部６４ｂが形成され、その周囲にはスポンジ４９と同形状のスポンジ６５が貼着されている。また、内筒６３にも開口部６４ｂと同形状の開口部６３ｂが形成されているが、図９（Ｃ）に示すように、取っ手６２が分断位置に配設されているときは開口部６４ｂと開口部６３ｂとは全く重ならない。このため、トナーカートリッジ６０を取り外したときも内部のトナーはこぼれない。
【００５１】
そして、突条６４ａを長溝４２ｂに係合させた上で、トナーカートリッジ６０の取っ手６２を図１０（Ａ）に示すように下方へ回動させると（以下、取っ手６２のこの位置を連結位置という）、図１０（Ｃ）に示すように開口部６４ｂと開口部６３ｂとが重なる。また、このとき、図１０（Ｂ）に示すように、突起６３ａによってシャッタ４８は開口部４２ａの上方へ移動させられるので、開口部６４ｂと開口部４２ａとも連通し、トナーカートリッジ６０から現像カートリッジ４０へのトナーの供給が可能となる。
【００５２】
更に、このとき、スポンジ４９とスポンジ６５とが密着し、しかも、内筒６３の外周面に一体形成された係合部６３ｃがレール４２ｃと係合するため、開口部６４ｂ，４２ａの周囲は密閉され、外部にトナーがこぼれることもない。また、この係合部６３ｃとレール４２ｃとの係合により、現像カートリッジ４０とトナーカートリッジ６０とが連結され、前述のように両者を一体に着脱することが可能となる（図８参照）。逆に、取っ手６２を操作して内筒６３を回動させ、係合部６３ｃとレール４２ｃとの係合を解除することにより、現像カートリッジ４０とトナーカートリッジ６０とを分断し、前述のようにトナーカートリッジ６０のみを取り出すことができる（図７参照）。
【００５３】
また、内筒６３の一端の外側には、アジテータ６１と一体に回転するギヤ９０１が配設されており、支持部４２のギヤ９０１との対向位置には、そのギヤ９０１に駆動力を伝達するためのギヤ９０２が露出している。このため、トナーカートリッジ６０を支持部４２に装着して、前述のように係合部６３ｃをレール４２ｃに係合させることにより、ギヤ９０２，９０１を介してアジテータ６１を駆動することが可能になる。
【００５４】
更に、ギヤ９０１の回転軸９０３は、図１０（Ｃ）に示すように左右に突出しており、支持部４２の左右端面には、この回転軸９０３をガイドするガイド溝４２ｄが形成されている。トナーカートリッジ６０の装着時には、回転軸９０３がガイド溝４２ｄによってガイドされるので、突条６４ａを容易に長溝４２ｂに係合させることができる。
【００５５】
次に、図１１（Ｂ）は、図１１（Ａ）に示すように取っ手６２を前記連結位置に配設したときの現像カートリッジ４０及びトナーカートリッジ６０を前面側から見た図で、図１１（Ｄ）は、図１１（Ｃ）に示すように取っ手６２を前記分断位置に配設したときの現像カートリッジ４０及びトナーカートリッジ６０を前面側から見た図である。
【００５６】
図１１（Ｂ），（Ｄ）に示すように、外筒６４の前面側には、取っ手６２を前記のように回動可能に貫通させる開口部６４ｄが形成されている。また、取っ手６２の両側より若干上方の内筒６３の表面には、周方向の中央が窪んだ一対のバネ受け部６６，６６が左右に形成されている。図２に示すように、蓋部４の内面には図示しないバネによって突出方向に付勢された一対の押圧部材７１，７１が配設され、バネ受け部６６，６６は、蓋部４を閉じたときに押圧部材７１，７１からの押圧力を受ける。この押圧力によって各カートリッジ２０，４０，６０が装置内に確実に固定される。また、押圧部材７１，７１の間には干渉部材７２が突設され、取っ手６２を連結位置に配設しなければその取っ手６２と干渉部材７２とが干渉し合って蓋部４を閉じることができないように構成されている。
【００５７】
次に、図１２（Ａ）は感光体カートリッジ２０の構成を表す右側面図、図１２（Ｂ）は現像カートリッジ４０及びトナーカートリッジ６０の構成を表す右側面図、図１２（Ｃ）は現像カートリッジ４０及びトナーカートリッジ６０の構成を表す左側面図、図１２（Ｄ）は現像カートリッジ４０及びトナーカートリッジ６０の構成を表す縦断面図である。
【００５８】
図１２（Ａ）に示すように、感光体カートリッジ２０の取っ手２５は板バネ２６を介して感光体カートリッジ２０に固定されている。板バネ２６は、上方に階段状に屈曲した屈曲部２６ａを途中に有しており、感光体カートリッジ２０に現像カートリッジ４０を装着したときには、支持部４２の下側端縁４２ｅ（図１２（Ｄ）参照）にこの屈曲部２６ａが係合することによって感光体カートリッジ２０と現像カートリッジ４０とを連結する。このため、前述のように取っ手２５を押し下げると（図８参照）、屈曲部２６ａと下側端縁４２ｅとの係合が解除され、感光体カートリッジ２０に対して現像カートリッジ４０が着脱可能となる。
【００５９】
また、現像ローラ４１の回転軸９０５は現像カートリッジ４０から左右方向に突出しており、感光体カートリッジ２０には、この回転軸９０５が嵌合するガイド溝２０ｂが左右両端面に形成されている。このため、回転軸９０５の両端をガイド溝２０ｂに嵌合させながら現像カートリッジ４０を感光体カートリッジ２０に着脱することにより、その着脱が容易になる。
【００６０】
現像カートリッジ４０及び感光体カートリッジ２０を装置本体に装着したとき、感光体カートリッジ２０に設けられ感光体ドラム２１と一体に回転するギヤ９０７は装置本体に設けられたギヤ９９９（図１３参照）と噛み合う。また、現像カートリッジ４０に設けられ現像ローラ４１と一体に回転するギヤ９０８は、図１２（Ｂ）に示すように、現像カートリッジ４０の右側面に設けられた駆動軸９１０と一体に回転するギヤ９１１と噛み合っており、更に、このギヤ９１１は、供給ローラ４５と一体に回転するギヤ９１２とも噛み合っている。このため、ギヤ９９９に伝達された駆動力が感光体ドラム２１に、後述のように駆動軸９１０に伝達された駆動力が供給ローラ４５及び現像ローラ４１に、それぞれ伝達される。
【００６１】
図１２（Ｃ）に示すように、現像カートリッジ４０の左側面には駆動軸９２０が設けられ、この駆動軸９２０は前述のギヤ９０２と一体に回転する。また、このギヤ９０２は、一対のオーガ４３，４３と一体に回転する一対のギヤ９２１，９２１とも噛み合っている。このため、トナーカートリッジ６０が連結された現像カートリッジ４０の駆動軸９２０に駆動力が伝達されると、その駆動力を更に、アジテータ６１及び一対のオーガ４３，４３に伝達することができる。
【００６２】
図１３は、レーザプリンタ１の、前記全てのカートリッジ２０，４０，６０を取り外した状態を表す縦断面図である。図１３に示すように、カバー２の左右内壁面（図１３には左側のみを図示）には、感光体カートリッジ２０及び現像カートリッジ４０を案内するガイド部材７３，７３が設けられている。このガイド部材７３，７３には、感光体ドラム２１の回転軸９２２（図１２（Ａ）参照）の両端、及び、前述の駆動軸９１０または９２０を案内する略直線状のガイド溝７３ａ，７３ａが設けられている。また、ガイド溝７３ａ，７３ａの、現像カートリッジ４０の装着時に駆動軸９１０，９２０と対向する位置には、レーザプリンタ１の装置本体に設けられた図示しないメインモータからの駆動力を伝達する駆動軸９３０，９３０が出没可能に設けられている。
【００６３】
図１２（Ｂ），（Ｃ）に示すように、駆動軸９１０及び９２０は、いずれも中空円筒状に構成され、内壁面の１８０°対向する位置に一対の突起９１０ａ，９１０ａ、または９２０ａ，９２０ａが設けられている。駆動軸９３０は、この駆動軸９１０または９２０の中空部に嵌合可能に構成され、更に、突起９１０ａまたは９２０ａと係合する平溝９３０ａが形成されている。このため、前記全てのカートリッジ２０，４０，６０が装着された後、駆動軸９３０，９３０を突出させて駆動軸９１０及び９２０と係合させることにより、前述のように各部の駆動が可能となる。
【００６４】
このように構成された本実施の形態のレーザプリンタ１では、感光体カートリッジ２０，現像カートリッジ４０，トナーカートリッジ６０を一体に取り出して交換することも（図５参照）、現像カートリッジ４０及びトナーカートリッジ６０のみを一体に取り出して交換することも（図８参照）、トナーカートリッジ６０のみを取り出して交換することも（図７参照）、所望に応じて実行可能である。このため、各カートリッジ２０，４０，６０の交換作業を能率的に行うことができ、しかも、交換の必要のあるカートリッジのみを交換することができるのでコストパフォーマンスにも優れている。
【００６５】
更に、各カートリッジ２０，４０，６０は、手前側から交換頻度が高い順に配設され、前述のように手前側の一部のカートリッジだけを、それより奥のカートリッジは装置本体に装着したままで交換することができる。このため、前記交換などの作業性が一層向上する。なお、感光体カートリッジ２０，現像カートリッジ４０，トナーカートリッジ６０を一体に取り出すことは、ジャム処理においても有効である。
【００６６】
しかも、各カートリッジ２０，４０，６０は共通の着脱経路を通って共通の着脱口２ａから着脱することができるので、装置が大型化せず、着脱口２ａも比較的小さくできるため構成も簡略化する。従って、本実施の形態のレーザプリンタ１では、設置場所の自由度が向上し、製造コストも低減することができる。更に、着脱口２ａは前面側に設けられ、かつ、その前面側は給紙カセット３が着脱される側でもあるので、各カートリッジ２０，４０，６０の着脱は一層容易となる。
【００６７】
なお、レーザプリンタ１では、略直線状のガイド溝７３ａに沿って各カートリッジ２０，４０，６０を着脱しているが、各カートリッジ２０，４０，６０の着脱経路は屈曲していてもよい。但し、レーザプリンタ１では、着脱経路が略直線状であるので、各カートリッジ２０，４０，６０の着脱が一層容易になる。
【００６８】
また、レーザプリンタ１では、干渉部材７２を設けたことにより、トナーカートリッジ６０の取っ手６２を連結位置に配設しなければ蓋部４を閉じることができない。このため、現像カートリッジ４０とトナーカートリッジ６０とが分断されたまま駆動を指示するなどの誤った操作を防止することができる。なお、取っ手６２は、干渉部材７２のように蓋部４に直接設けられた部材ではなく、蓋部４と直接、若しくは蓋部４と連動する何らかの部材の軌道と干渉することにより、その蓋部４の閉塞を不可能にしてもよく、この場合も同様の効果が生じる。
【００６９】
次に、図１４は、本発明の第２の実施の形態としてのレーザプリンタ１０１の構成を表す縦断面図である。なお、以下の各実施の形態において、第１の実施の形態のレーザプリンタ１と同様に構成した部分には図１〜図１３で使用したものと同一の符号を付して、その詳細な説明を省略する。
【００７０】
本実施の形態のレーザプリンタ１０１は、現像カートリッジ１４０に設けられたトナーカートリッジ１６０の支持部１４２が、略上方を向いて開口している点でレーザプリンタ１と異なる。これに応じて、支持部１４２には下側端縁４２ｅの代わりに穴部１４２ｅ（図１６参照）が設けられ、取っ手２５を感光体カートリッジ１２０に接続する板バネ１２６には、この穴部１４２ｅに嵌合する突起１２６ａが屈曲部２６ａの代わりに設けられている。
【００７１】
また、トナーカートリッジ１６０の取っ手１６２は、図１４に示す連結位置に配設された場合でもトナーカートリッジ１６０の上部に配設され、蓋部４には、この取っ手１６２を押圧する押圧部材１７１が設けられている。更に、レーザプリンタ１０１には、バネ受け部６６や干渉部材７２は設けられていない。
【００７２】
このレーザプリンタ１０１でも、蓋部４を開いて感光体カートリッジ１２０の取っ手２５を手前に引くと、図１５に示すように、感光体カートリッジ１２０を現像カートリッジ１４０及びトナーカートリッジ１６０と一体に、着脱口２ａからレーザプリンタ１０１の装置本体外へ取り出すことができる。
【００７３】
また、感光体カートリッジ１２０の取っ手２５を押し下げると、現像カートリッジ１４０は感光体カートリッジ１２０と分断され、更に、トナーカートリッジ１６０の取っ手１６２をそのまま手前に引くと、図１６に示すようにトナーカートリッジ１６０と現像カートリッジ１４０とを着脱口２ａから装置本体外へ取り出すことができる。
【００７４】
但し、レーザプリンタ１０１では、前述のように支持部１４２が略上方を向いて開口しているため、現像カートリッジ１４０を装置本体に残したままトナーカートリッジ１６０の着脱を行うことができない。そこで、トナーカートリッジ１６０の着脱は次のようにしてなされる。
【００７５】
図１７（Ａ）は、図１６に示したようにして取り出された現像カートリッジ１４０及びトナーカートリッジ１６０を表している。現像カートリッジ１４０とトナーカートリッジ１６０との連結／分断は、レーザプリンタ１と同様の機構によって切り換えられ、図１７（Ｂ）に示すように取っ手１６２を真上に回動させると両者が分断される。この状態で、取っ手１６２を持ってトナーカートリッジ１６０を引き上げれば、図１７（Ｃ）に示すように現像カートリッジ１４０と分離して、そのトナーカートリッジ１６０の交換などを行うことができる。
【００７６】
また、図１７（Ｂ）に示すように現像カートリッジ１４０とトナーカートリッジ１６０とが分断されたままで両者を装置本体に装着しようとすると、取っ手１６２がスキャナユニット９０などと干渉する。従って、本実施の形態でも、現像カートリッジ１４０とトナーカートリッジ１６０とが分断されたままで装置が駆動されるのを防止できる。
【００７７】
図１８は、本発明の第３の実施の形態としてのレーザプリンタ２０１の構成を表す縦断面図である。このレーザプリンタ２０１は、現像カートリッジ２４０に設けられたトナーカートリッジ２６０の支持部２４２が、トナーカートリッジ２６０の外周を取り囲む円筒状に構成された点でレーザプリンタ１と異なる。これに応じて、支持部２４２には、レーザプリンタ１０１と同様に穴部２４２ｅ（図１９参照）が設けられ、取っ手２５を感光体カートリッジ２２０に接続する板バネ２２６には、この穴部２４２ｅに嵌合する突起２２６ａが設けられている。
【００７８】
また、トナーカートリッジ２６０の取っ手２６２は、図１８に示す連結位置に配設された場合でもトナーカートリッジ２６０の上部に配設され、しかも、後述の図２０に示すように支持部２４２の左端（向かって右端）から突出している。また、蓋部４には、支持部２４２の前側端面を直接押圧する押圧部材２７１が設けられ、レーザプリンタ１０１と同様、バネ受け部６６や干渉部材７２は設けられていない。
【００７９】
このレーザプリンタ２０１でも、蓋部４を開いて感光体カートリッジ２２０の取っ手２５を手前に引くと、感光体カートリッジ２２０，現像カートリッジ２４０，トナーカートリッジ２６０を一体に、着脱口２ａからレーザプリンタ２０１の装置本体外へ取り出すことができる。
【００８０】
また、感光体カートリッジ２２０の取っ手２５を押し下げると、現像カートリッジ２４０は感光体カートリッジ２２０と分断され、更に、トナーカートリッジ２６０の取っ手２６２をそのまま手前に引くと、図１９に示すようにトナーカートリッジ２６０と現像カートリッジ２４０とを着脱口２ａから装置本体外へ取り出すことができる。
【００８１】
このように取り出された現像カートリッジ２４０及びトナーカートリッジ２６０の縦断面図及び正面図を、図２０の（Ａ）及び（Ｂ）に示す。現像カートリッジ２４０とトナーカートリッジ２６０との連結／分断も、レーザプリンタ１と同様の機構によって切り換えられ、図２０の（Ｃ），（Ｄ）に示すように取っ手２６２を真上に回動させると両者が分断される。この状態で、取っ手２６２を持ってトナーカートリッジ２６０を支持部２４２から側方に引き抜けば、図２０（Ｅ），（Ｆ）に示すようにトナーカートリッジ２６０の交換などを行うことができる。
【００８２】
以上、本発明の実施の形態について説明したが、前記実施の形態において、取っ手２５，６２，１６２，２６２が操作部に、ガイド溝２０ｂ，４２ｄがガイドに、それぞれ相当する。また、本発明は前記実施の形態に何ら限定されるものではなく、本発明の要旨を逸脱しない範囲で種々の形態で実施することができる。例えば、感光体カートリッジ，現像カートリッジ，及びトナーカートリッジは、一体に装置本体外に取り出してから個々に分離するものであってもよい。また、レーザプリンタ１では、回転軸９０３，９０５をガイド溝４２ｂ，２０ｂによって案内しているが、トナーカートリッジ６０または現像カートリッジ４０に回転軸９０３または９０５と平行な軸からなる軸部材を突設して、その軸部材を回転軸９０３，９０５と同様に案内してもよい。
【図面の簡単な説明】
【００８３】
【図１】本発明が適用されたレーザプリンタの外観を表す斜視図である。
【図２】そのレーザプリンタの蓋部を開放する動作を表す斜視図である。
【図３】そのレーザプリンタの給紙カセットを引き出す動作を表す斜視図である。
【図４】そのレーザプリンタの内部構成を表す縦断面図である。
【図５】そのレーザプリンタの各カートリッジを一体に取り出す操作を表す縦断面図である。
【図６】そのレーザプリンタのトナーカートリッジと現像カートリッジとを分断する動を表す縦断面図である。
【図７】そのレーザプリンタのトナーカートリッジのみを取り出す動作を表す縦断面図である。
【図８】そのレーザプリンタの現像カートリッジとトナーカートリッジとを一体に取り出す動作を表す縦断面図である。
【図９】その現像カートリッジとトナーカートリッジとの連結／分断を切り換える機構の構成を、分断状態において表す説明図である。
【図１０】その現像カートリッジとトナーカートリッジとの連結／分断を切り換える機構の構成を、連結状態において表す説明図である。
【図１１】その現像カートリッジ及びトナーカートリッジの構成を表す右側面図及び正面図である。
【図１２】その現像カートリッジ及び感光体カートリッジの構成を表す右側面図，左側面図，及び縦断面図である。
【図１３】前記レーザプリンタの全てのカートリッジを取り外した状態を表す縦断面図である。
【図１４】第２の実施の形態のレーザプリンタの構成を表す縦断面図である。
【図１５】そのレーザプリンタの各カートリッジを一体に取り出す動作を表す縦断面図である。
【図１６】そのレーザプリンタの現像カートリッジとトナーカートリッジとを一体に取り出す動作を表す縦断面図である。
【図１７】そのレーザプリンタのトナーカートリッジと現像カートリッジとを分断する動を表す縦断面図である。
【図１８】第３の実施の形態のレーザプリンタの構成を表す縦断面図である。
【図１９】そのレーザプリンタの現像カートリッジとトナーカートリッジとを一体に取り出す動作を表す縦断面図である。
【図２０】そのレーザプリンタのトナーカートリッジと現像カートリッジとを分断する動を表す縦断面図及び正面図である。
【符号の説明】
【００８４】
１，１０１，２０１…レーザプリンタ      ２ａ…着脱口      ３…給紙カセット
４…蓋部      ２０，１２０，２２０…感光体カートリッジ      ２１…感光体ドラム
２５，６２，１６２，２６２…取っ手      ２６，１２６，２２６…板バネ
２６ａ…屈曲部    ４０，１４０，２４０…現像カートリッジ      ４１…現像ローラ
４２，１４２，２４２…支持部    ４２ｄ…ガイド溝      ４２ｅ…下側端縁
６０，１６０，２６０…トナーカートリッジ      ６３…内筒      ６４…外筒
７２…干渉部材      ９０…スキャナユニット      １２６ａ，２２６ａ…突起
１４２ｅ，２４２ｅ…穴部      Ｌ…レーザ光
【図１】
2008032755.tif 000003
【図２】
2008032755.tif 000004
【図３】
2008032755.tif 000005
【図４】
2008032755.tif 000006
【図５】
2008032755.tif 000007
【図６】
2008032755.tif 000008
【図７】
2008032755.tif 000009
【図８】
2008032755.tif 000010
【図９】
2008032755.tif 000011
【図１０】
2008032755.tif 000012
【図１１】
2008032755.tif 000013
【図１２】
2008032755.tif 000014
【図１３】
2008032755.tif 000015
【図１４】
2008032755.tif 000016
【図１５】
2008032755.tif 000017
【図１６】
2008032755.tif 000018
【図１７】
2008032755.tif 000019
【図１８】
2008032755.tif 000020
【図１９】
2008032755.tif 000021
【図２０】
2008032755.tif 000022